(57)【要約】  ヘアトリマー組立体（１０）に隣接する安全かみそり組立体（２０）を含む、グルーミングツールが提供される。どちらの組立体もハウジング（２２、１２）を含む。ハウジングは、分離可能であってもよいし、又は一体形成されてもよい。トリマー組立体は、可動鋸歯状ブレード（６０）に動作可能に接続されたモータ（４０）を含む。第２の鋸歯状ブレード（５０）は、トリマーのハウジングに取り外し可能に取り付けられる。板バネ（９０）の一端がトリマーハウジングの好適な大きさにされた凹部（１８）内に配置され、対向する第２の端部が可動ブレードの駆動部（８０）を支持して、動作中、２つのブレードの鋸歯状部分間の滑り接触を維持する。ユーザが第２の鋸歯状ブレードを取り外したとき、可動ブレードは別々に取り外すことができ、板バネはその凹部内に固定されている。どちらのハウジングも２５ｍｍより狭い幅を有し、グルーミングツールは、典型的な安全かみそりのユーザにとって人間工学的に使い易いものである。【選択図】図３
2010532221.tif 000002
【特許請求の範囲】
【請求項１】
トリマーハウジングと、
前記トリマーハウジング内に配置されたモータと、
カッター及び駆動部を含み、前記モータに動作可能に接続された可動ブレードと、
前記トリマーハウジングに取り外し可能に取り付けられた下方ブレードと、
板バネと、
を含み、前記板バネの第１の端部分は前記トリマーハウジングの凹部内に配置され、前記凹部は前記第１の端部分を収容するような大きさにされており、該板バネの対向する端部分は、前記可動ブレードの前記駆動部上に作用して、通常の使用中、該可動ブレードの鋸歯状部分と前記下方ブレードの少なくとも鋸歯状部分との滑り接触を維持し、
前記トリマー組立体は安全かみそりに取り付けられるよう適合される、
ことを特徴とするトリマー組立体。
【請求項２】
前記トリマー組立体は、前記安全かみそりに取り外し可能に取り付けられることを特徴とする、請求項１に記載のトリマー組立体。
【請求項３】
前記トリマーハウジングは、前記安全かみそりのハウジングと一体形成されることを特徴とする、請求項１に記載のトリマー組立体。
【請求項４】
前記板バネの前記第１の端部分は、該端部分を前記トリマーハウジングの前記凹部内に固定するための手段を含むことを特徴とする、請求項１、請求項２及び請求項３のいずれかに記載のトリマー組立体。
【請求項５】
前記可動ブレードの前記駆動部は、低摩擦材料を含むことを特徴とする、請求項１から請求項４までのいずれかに記載のトリマー組立体。
【請求項６】
前記低摩擦材料は熱可塑性材料であることを特徴とする、請求項５に記載のトリマー組立体。
【請求項７】
前記トリマーハウジングは、２５ｍｍより狭い幅を定めることを特徴とする、請求項１から請求項６までのいずれかに記載のトリマー組立体。
【請求項８】
トリマー組立体と前記安全かみそりは、結合して２５ｍｍより狭い幅を定めることを特徴とする、請求項１から請求項７までのいずれかに記載のトリマー組立体。
【請求項９】
前記下方ブレードは、該下方ブレードが前記ハウジングに取り付けられたときに、該ハウジングに対して固定されていることを特徴とする、請求項１から請求項８までのいずれかに記載のトリマー組立体。
【請求項１０】
前記トリマー組立体は、トリマー駆動組立体をさらに含み、前記安全かみそりは安全かみそりカートリッジ支持組立体を含み、前記安全かみそりカートリッジ支持組立体及び前記トリマー駆動組立体は、前記ハウジングの対向する端部に配置されることを特徴とする、請求項２から請求項９までのいずれかに記載のトリマー組立体。
【発明の詳細な説明】
【技術分野】
【０００１】
本発明は、一般に、グルーミング装置に関し、より特定的には、電動式ヘアトリマーを含む安全かみそりに関する。
【背景技術】
【０００２】
多くの安全かみそりは、人間工学的に、ユーザが楽に把持できる大きさにされた細長い握り手部分を含む。握り手部分は一般的に真っ直ぐであるか又はわずかな曲線を含むことができる。これらの安全かみそりの多くは、どちらも約１０ｍｍから２５ｍｍまでの直径を有する円筒形及び／又は隆起部分により囲まれた細長い把持部分を有する。
【０００３】
その開示が全体として引用により本明細書に組み込まれる特許文献１において、モータ駆動のヘアトリマーを含む安全かみそりのハンドルが提供される。特許文献１の出願において開示された装置を含む多くのトリマーは、第２の鋸歯状ブレードに対して前後に動く鋸歯状のブレードを含む。バネは、一般に、通常の使用中に、力をこの可動ブレードに与えて、少なくとも両方のブレードの鋸歯状部分が互いに滑り接触を維持するようにし、効果的なヘアトリミングを確保する。切断された毛の小片及び毛の皮脂を含む、ヘアトリミングによるごみは、鋸歯状のブレード間に入り込み、切断効率を減少させることがある。いくつかのトリマーは、ブレードを洗浄できるように、ユーザがブレードを取り外して再装着することができる着脱可能なブレード組立体を有する。しかしながら、これらの着脱可能なブレード組立体の多くは、ブレード組立体内に、鋸歯状ブレードとそれぞれのバネの両方を含み、ブレード間のごみを効率的に洗浄するために、ユーザがこれを分解し、その後再組み立てするという第２のステップを必要とする。
【先行技術文献】
【特許文献】
【０００４】
【特許文献１】米国特許出願公開第２００５／０２１７１１５号明細書
【発明の概要】
【発明が解決しようとする課題】
【０００５】
こうした組立体における可動ブレードは、典型的には、１つ又はそれ以上の線バネにより所定の位置に保持することができる。一般に、バネの一部はブレード組立体に固定され、バネの端部分が前述の力を可動ブレードにかけ、さらに、通常使用中に、ブレードと共に前後に動く。バネの端部分のこの前後運動に対応するためには、トリマーのハウジング内に十分な空間を設ける必要がある。
【課題を解決するための手段】
【０００６】
本発明は、トリマーを含む安全かみそりのトリマー組立体と組み合わされた、改善されたバネを提供することにより、従来技術の制限をなくす又は少なくとも実質的に軽減することを目的とする。
【０００７】
１つの態様においては、本発明は、トリマー組立体に関する。トリマー組立体は、安全かみそり組立体に一体的に又は着脱可能に取り付けられるよう適合されている。トリマー組立体は、中にモータが配置されたハウジングを含む。トリマー組立体は、モータに動作可能に接続された鋸歯状の可動ブレードと、ハウジングに取り外し可能に取り付けられた鋸歯状の下方ブレードとを有する。トリマー組立体は、板バネを有し、板バネの第１の端部分はトリマーハウジングの凹部内に配置され、対向する端部分は可動ブレードの駆動部に作用して、通常の使用中、少なくともブレードの鋸歯状部分の滑り接触を維持するようにする。トリマーハウジングは、２５ｍｍより狭い幅を有し、安全かみそりのユーザにとって、人間工学的に使い易いものである。ユーザが、例えば、洗浄のために、下方ブレードを取り外したときには、可動ブレードを別々に取り外すことができ、板バネはハウジングの凹部内に保持される。このように、ユーザが、例えば、ブレードを洗浄しようと望む場合には、簡単で単一の分解ステップが要求される。
【０００８】
さらに別の態様においては、本発明は、グルーミングツールに関する。グルーミングツールは、第１の端部に安全かみそりカートリッジ支持組立体を有し、対向する端部にトリマー駆動組立体を有する。トリマー駆動組立体は、前述のように、モータと、可動ブレードと、下方ブレードと、板バネとを有する。グルーミングツールのハウジングは、２５ｍｍより狭い幅を有し、安全かみそりのユーザにとって、人間工学的に使い易いものである。前述のように、簡単で単一の分解ステップが要求される。
【０００９】
本発明の上記の特徴及び利点は、以下の詳細な説明を参照して、添付の図面と併せて読むことにより完全に理解されるであろう。
【図面の簡単な説明】
【００１０】
【図１】安全かみそり組立体と結合された本発明のトリマー組立体の一実施形態の等角図である。
【図２】本発明のグルーミングツールの一実施形態の等角図である。
【図３】図１の線３−３で切った部分断面図である。
【図３Ａ】本発明のトリマー組立体の別の実施形態を示す図３の部分拡大図である。
【図３Ｂ】本発明のトリマー組立体のさらに別の実施形態を示す図３の部分拡大図である。
【図４】描写を明らかにする目的のためだけにハウジングが省かれた、図１のトリマー組立体の駆動メカニズムの等角図である。
【図４Ａ】図４の分解図である。
【図５】本発明の板バネの実施形態の等角図である。
【発明を実施するための形態】
【００１１】
次に図面を、具体的には図１を参照すると、トリマー組立体１０が、安全かみそり組立体２０に取り付けられている。トリマー組立体は、良く知られたバイオネット型構成により安全かみそり組立体に取り付けられていることが望ましい。トリマー組立体は、細長いハウジング１２を含む。ハウジングは、ハウジングの伸長方向に対して横方向に、ハウジングの左右の寸法として規定される幅Ｗ（図３も参照されたい）を有する。幅Ｗは、トリマー組立体の配向とは無関係に規定される（図３も参照されたい）。その幅は、ユーザによるハウジングの実際の又は知覚される握りを高めるために加えることができるどのような隆起リブ１６も除外したものである。幅は、２５ｍｍより狭いことが好ましく、２３ｍｍより狭いことがより好ましく、２０ｍｍより狭いことが最も好ましい。このように、トリマーハウジングは、安全かみそりのユーザとって、人間工学的に使いづらいということはないであろう。安全かみそり組立体はまた、細長いハウジング２２と、ユーザ操作可能なカートリッジ解放ボタン２６を含むかみそりカートリッジ支持組立体２４と、かみそりカートリッジ２８の受け入れに適応したカートリッジ支持アーム２７とを含む。安全かみそり組立体のハウジングは、前述のような幅を有するが、カートリッジ支持組立体の一部を収容することができる局所的拡大部分２３を含むことができる。好適な支持組立体及びかみそりカートリッジは当該技術分野において良く知られており、本出願ではこれ以上説明しない。トリマー組立体及び安全かみそり組立体の一方又は両方のハウジングはまた、弾性把持パッド１４を含むことができる。
【００１２】
次に図２を参照すると、グルーミングツール３０が示されている。グルーミングツールは、細長いハウジング３２を含む。ハウジングは、前述のような幅を有し、やはり前述のような局所的拡大部分を含むことができる。ハウジング３２は、ハウジングの第１の端部３２Ａに配置された安全かみそりカートリッジ支持組立体３４と、好ましくはハウジングの反対側端部３２Ｂに配置されたトリマー駆動組立体３６とを有する。トリマー駆動組立体３６はまた、例えば、その開示が全体として引用により本明細書に組み入れられる特許文献１の実施形態で開示されるように、安全かみそりカートリッジ支持組立体３４と同じハウジングの端部に配置されてもよい。
【００１３】
さらに、次に図３、図４、図４Ａ及び図５を参照すると、図１のトリマー組立体が断面図（図３）及び等角図（図４及び図４の分解図である図４Ａ）で示されており、後者の図は、トリマー組立体の内部部品の描写を明確にするためだけに、ハウジングが省略されている。図５は、トリマー組立体の板バネの等角図を示す。トリマー組立体１０は、ハウジング１２を含む。ハウジングは、好ましくは、ＡＢＳ又はポリプロピレン又はダイキャスト亜鉛合金又は当業者に周知の他の好適な材料を射出成形することにより製造される。モータ４０は、少なくとも部分的にハウジング内に配置され、１つ又はそれ以上の電池４６（図示せず）により、又は、変圧器を介して与えることができる通常の国内ＡＣにより動力供給される。
【００１４】
モータの出力軸４２には、偏心器４４が取り付けられている。偏心器は、リン青銅により製造されることが好ましい。この材料は、通常の使用中に、駆動部８０と接触して動くときの支持特性、及び、モータの軸４２に対する安定したプレス嵌め特性を含む望ましい特性のゆえに選ばれる。鋸歯状構成５６を有する下方ブレード５０が、好ましくはネジ５２によりハウジングに取り付けられ、このネジは、下方ブレードの孔５４を通り抜ける。下方ブレードは、さらに、リブ（図示せず）又はスロット５８を含むことができる横方向に細長い形態を有する。可動ブレード６０は、カッター部分７０及びドライバ部分８０を含む。下方ブレード５０及びカッター７０は両方とも、好ましくは４８−５２ＨＲＣまで硬化した４２０級のステンレス鋼から作られる。当業者であれば、別の級の鋼又はステンレス鋼など、その他の材料を、セラミック材料と同様に等しく採用でき、本出願はこの点において限定するものではないことを理解するであろう。ドライバは、好適な熱可塑性樹脂、好ましくはいわゆる工学グレードの材料、最も好ましくはポリアミド６，６を射出成形することによって製造されることが好ましい。この材料は、通常の使用中に偏心器が駆動部のウィングと接触して動くとき（本出願において後に説明される）、及び駆動部が板ばねと接触して動くとき(同じく、本出願において後に説明される）の、寸法安定性及びその摩擦特性を含む望ましい特性のゆえに選ばれる。当業者であれば、ポリオキシメチレンなどの別の熱可塑性材料又はリン青銅又は亜鉛アルミニウム合金のような金属材料を用いてもよいことを理解するであろう。カッターは、鋸歯状構成７２、孔７４、及び一対の対向する切れ目７６を含む。駆動部８０は、カッターの切れ目７６と嵌合してこれを通り抜け、下方ブレードのスロット５８に延びる一対の対向する突出部８６を含む。駆動部は、カッターの孔７４を貫通するピン８４を含む。駆動部がカッターと嵌合した後、ピン８４のヘッド部分は、好ましくは、熱かしめされて、駆動部をカッターに保持する。ピンは、代替的には、孔にプレス嵌めされてもよいし又は好適な接着剤によりそこに付着されてもよい。駆動部は、間に偏心器４４を受け入れるような寸法を有する一対の対向するウィング８２を含む。
【００１５】
周知の動作方法においては、モータの軸上に取り付けられた偏心器が、駆動部のウィングの間で回転するとき、この回転運動は、下方ブレードに対する可動ブレードの前後運動に変換され、駆動部の突出部８６は下方ブレードのスロット５８と噛み合って、これに沿って動く。可動ブレードの合計ストロークは、好ましくは、約２．５ｍｍまでの範囲であり、最も好ましくは約１．８ｍｍである。溝は、真っ直ぐであることが好ましく、この場合、往復運動は反復式である。溝はまた、僅かな曲線を辿ることもでき、この場合の運動は弓形である。
【００１６】
板バネ９０は、通常の使用中に、バネ力をかけて、少なくとも下方ブレード及び可動ブレードの鋸歯状部分が滑り接触を維持するようにするために提供される。板バネは、好ましくは、３０１級のステンレス鋼により製造される。板バネの第１の端部分９２は、ハウジングの凹部内１８に収容される。凹部は、好ましくは、板バネの端部分を収容し、かつ、ユーザが下方ブレード及び可動ブレードを取り外してブレードを洗浄するときに、実質的に、板バネをハウジングと結合した状態で保持するような大きさにされる。板バネの第１の端部分は、最終縁部９６を備えた上方脚部９４を有する細長いＵ字形に成形されることが好ましい。板バネの端部分がハウジングの凹部内に挿入されたとき、脚部９４及び縁部９６は、板バネの端部分を凹部内に固定しておくストッパを提供するように動作する。当業者であれば、他の固定手段も採用できることを理解するであろう。さらに図３Ａを参照すると、例えば、シアノアクリレート又は二液性エポキシのような好適な接着材１０２を採用する固定手段が示されている。本実施形態においては、板バネの細長いＵ字形状は省くことができる。さらに図３Ｂを参照すると、ハウジングの凹部は、板バネと噛み合ってスナップ嵌合する隆起リブ１０４を有する。板バネの対向する端部分は、浅いＵ字形状９８が備えられることが好ましい。浅いＵ字の頂点の裏面は、前述のバネ力を与えるように駆動部に作用する。駆動部の上面には、好ましくは、さらに、隆起パッド８７が備えられる。浅いＵ字の頂点の裏面は、板バネと駆動部との間の接触面領域を減少させるために設けられたこれらのパッドと滑り接触状態にある。
【００１７】
いくつかのトリマーは、ユーザがブレードを洗浄できるように、ユーザが取り外し、再び取り付けることができる着脱可能なブレード組立体を有する。これらの着脱可能なブレード組立体の多くは、該ブレード組立体内に、下方ブレード及び可動ブレードの両方と、それぞれのバネとを含み、ブレード間のごみを効率的に洗浄するため、ユーザがこれを分解するという第２のステップを必要とする。トリマーを再利用するためには、ユーザは次に、ブレード組立体をトリマーに再組み立てする前に、ブレード組立体を正確に再組み立てしなければならない。本出願は、実質的にバネをハウジング内に保持し、下方ブレードの分解により分離された下方ブレード及び可動ブレードを与えることにより、第２の分解／組み立てステップを有利に排除する。さらに、これらのトリマーのための多数のブレード組立体は、円形ワイヤから形成されたバネを有する。バネは、実質的に、Ｌ字又はＵ字形状とすることができる。Ｌ字形状のバネが採用されるときには、一般に、２つのバネが準備され、Ｌ字の短い方の脚部が下方ブレードに直接又は間接的に固定されて、鏡像構成で取り付けられる。Ｌ字の長い方の脚部の端部分は、可動ブレードと接触し、バネ力を可動ブレードに提供する。Ｌ字の長い方の脚部の端部分は、一般に、可動ブレードと共に前後に動く。前後２．５ｍｍの可動ブレードの動きのためには、各々の端部分が前述の２．５ｍｍだけ動くことを可能にするために、ハウジング内に十分な空間がなければならない。Ｕ字形状のバネが採用されるときには、一般に、Ｕ字の中央部分は、下方ブレードに直接又は間接的に固定され、Ｕ字の各々の脚部の端部分は、前述のように可動ブレード上に作用する。従って、いずれの種類のバネにおいても、両方の端部分が、妨げるものなしで可動ブレードと共に前後に動けるように、最低５ｍｍの間隙を設ける必要がある。本発明発明の１つの目的は、安全かみそりのユーザにとって人間工学的に使い易い幅を有する安全かみそりと結合されたグルーミングツール又はとリマー組立体を提供することである。可動ブレードと共に前後に動かない、ハウジング内に保持される板バネによりバネ力を提供することにより、間隙の必要性がなくなり、これにより、ハウジングの幅を減少させることができるようになる。
【００１８】
本発明は、その例示的な実施形態を参照して説明され示されたが、本発明はそれらの例示的な実施形態に限定されることが意図されるものではない。当業者であれば、特許請求の範囲により定義される本発明の真の範囲から逸脱することなく、変更及び修正がなされ得ることを理解するであろう。例えば、任意の１つの実施形態に関連して開示された特徴は、単独で用いてもよいし、又はそれぞれ他の実施形態の各々の特徴と組み合わせて用いてもよい。
【符号の説明】
【００１９】
１０：トリマー組立体
１２：トリマー組立体ハウジング
１４：弾性把持パッド
１６：リブ
１８：ハウジングの凹部
２０：安全かみそり組立体
２２：安全かみそり組立体ハウジング
２３：局所的拡大部分
２４：かみそりカートリッジ支持組立体
２６：ユーザ操作可能カートリッジ解放ボタン
２７：カートリッジ支持アーム
２８：かみそりカートリッジ
３０：グルーミングツール
３２：グルーミングツールハウジング
３２Ａ：第１の端部
３２Ｂ：反対側端部
３４：安全かみそりカートリッジ支持組立体
３６：トリマー駆動組立体
４０：モータ
４２：出力軸
４４：偏心器
４６：電池
５０：下方ブレード
５２：ネジ
５４：下方ブレードの孔
５６：下方ブレードの鋸歯状構成
５８：スロット
６０：可動ブレード
７０：カッター部分
７２：カッターの鋸歯状構成
７４：カッターの孔
７６：切り目
８０：駆動部
８２：ウィング
８４：ピン
８６：突出部
８７：隆起パッド
９０：板バネ
９２：板バネの第１端部
９４：上方脚部
９６：最終縁
９８：Ｕ字形状
１０２：接着材
１０４：隆起リブ
【図１】
2010532221.tif 000003
【図２】
2010532221.tif 000004
【図３】
2010532221.tif 000005
【図３Ａ】
2010532221.tif 000006
【図３Ｂ】
2010532221.tif 000007
【図４】
2010532221.tif 000008
【図４Ａ】
2010532221.tif 000009
【図５】
2010532221.tif 000010
【国際調査報告】
2010532221.tif 000011
2010532221.tif 000012
2010532221.tif 000013